(57)【要約】【課題】平坦ではない使用箇所においても容易かつ安定した状態で設置することが可能であって、収納時にはコンパクトに折り畳むことが可能なポータブル扇風機を提供すること。【解決手段】電動機７０、電動機７０により回転駆動するファン１５、および電動機７０に電力を供給する電源装置６０を有する本体部１０と、本体部１０に回動可能に取り付けられて本体部１０を保持する保持脚２０と、保持脚２０の離間方向に掛け渡される連結脚３０が取り付けられる連結脚取付部５４を有すると共に、保持脚２０および連結脚３０に対して回動脚４０が回動可能に連結された脚連結部材５０と、を具備し、脚連結部材５０は、回動脚４０の使用時位置および収納時位置をそれぞれ位置決め固定する位置決め固定部５６を有していることを特徴とするポータブル扇風機１００である。【選択図】図１
0003234200.tif 000002
【実用新案登録請求の範囲】
【請求項１】
電動機、前記電動機により回転駆動するファン、および前記電動機に電力を供給する電源装置を有する本体部と、
前記本体部に回動可能に取り付けられて前記本体部を保持する保持脚と、
前記保持脚の離間方向に掛け渡される連結脚が取り付けられる連結脚取付部を有すると共に、前記保持脚および前記連結脚に対して回動脚が回動可能に連結された脚連結部材と、を具備し、
前記脚連結部材は、前記回動脚の使用時位置および収納時位置をそれぞれ位置決め固定する位置決め固定部を有していることを特徴とするポータブル扇風機。
【請求項２】
前記位置決め固定部の前記収納時位置に固定された前記回動脚は、前記保持脚と平行であることを特徴とする請求項１記載のポータブル扇風機。
【請求項３】
前記位置決め固定部は、前記回動脚が嵌合可能な嵌合凹部に形成されていることを特徴とする請求項１または２記載のポータブル扇風機。
【請求項４】
前記嵌合凹部は、円弧状嵌合凹部に形成されていることを特徴とする請求項３記載のポータブル扇風機。
【請求項５】
前記使用時位置における前記嵌合凹部と前記収納時位置における前記嵌合凹部は互いに連通しており、
前記回動脚は、前記使用時位置における前記嵌合凹部と前記収納時位置における前記嵌合凹部の連通部分で軸着されていることを特徴とする請求項３または４記載のポータブル扇風機。
【考案の詳細な説明】
【技術分野】
【０００１】
本考案はポータブル扇風機に関する。より詳細には、収納時にコンパクトに折り畳むことが可能なポータブル扇風機に関する。
【背景技術】
【０００２】
収納時においてコンパクトな状態に折り畳むことができる折り畳み式の扇風機としては、例えば、特許文献１（実用新案登録第３１９１８７１号公報）に開示されているような構成が知られている。
【先行技術文献】
【特許文献】
【０００３】
【特許文献１】実用新案登録第３１９１８７１号公報
【考案の概要】
【考案が解決しようとする課題】
【０００４】
特許文献１に開示されている折り畳み式の扇風機は、設置面に平板状のベース部を有しているため、設置面が平坦になっていることが前提の構造になっている。しかしながら扇風機の設置面は平坦面のみではないため、平板状のベース部を有するような折り畳み式の扇風機では適切な設置ができないことがある。
【課題を解決するための手段】
【０００５】
そこで、本考案は上記課題を解決すべくなされたものであり、その目的とするところは、平坦ではない使用箇所においても容易かつ安定した状態で設置することが可能であって、収納時にはコンパクトに折り畳むことが可能なポータブル扇風機を提供することにある。
【０００６】
すなわち本考案は、電動機、前記電動機により回転駆動するファン、および前記電動機に電力を供給する電源装置を有する本体部と、前記本体部に回動可能に取り付けられて前記本体部を保持する保持脚と、前記保持脚の離間方向に掛け渡される連結脚が取り付けられる連結脚取付部を有すると共に、前記保持脚および前記連結脚に対して回動脚が回動可能に連結された脚連結部材と、を具備し、前記脚連結部材は、前記回動脚の使用時位置および収納時位置をそれぞれ位置決め固定する位置決め固定部を有していることを特徴とするポータブル扇風機である。
【０００７】
これにより、平坦ではない使用箇所においても容易かつ安定した状態で設置することが可能であって、収納時にはコンパクトに折り畳むことが可能なポータブル扇風機を提供することができる。
【０００８】
また、前記位置決め固定部の前記収納時位置に固定された前記回動脚は、前記保持脚と平行であることが好ましい。
【０００９】
これにより、収納時における回動脚が保持脚と平行になるため、よりコンパクトな状態にすることができる。
【００１０】
また、前記位置決め固定部は、前記回動脚が嵌合可能な嵌合凹部に形成されていることがより好ましく、前記嵌合凹部は、円弧状嵌合凹部に形成されていることがさらに好ましい。
【００１１】
これらにより、回動脚を嵌合凹部に押し込む操作をするだけで回動脚を収納時位置に位置決め固定することができる。
【００１２】
また、前記使用時位置における前記嵌合凹部と前記収納時位置における前記嵌合凹部は互いに連通しており、前記回動脚は、前記使用時位置における前記嵌合凹部と前記収納時位置における前記嵌合凹部の連通部分で軸着されていることが好ましい。
【００１３】
これにより、収納時における占有スペースをよりコンパクトにすることができる。
【考案の効果】
【００１４】
本考案のポータブル扇風機の構成によれば、平坦ではない使用箇所においても容易かつ安定した状態で設置することが可能であって、収納時にはコンパクトに折り畳むことが可能なポータブル扇風機を提供することができる。
【図面の簡単な説明】
【００１５】
【図１】本実施形態におけるポータブル扇風機の使用時正面側斜視図である。
【図２】本実施形態におけるポータブル扇風機の使用時背面側斜視図である。
【図３】図１中のＩＩＩ部分における斜視図である。
【図４】回動脚を収納時位置の位置決め固定部に嵌合直前状態を示す斜視図である。
【図５】回動脚を収納時位置の位置決め固定部に嵌合させた状態を示す斜視図である。
【図６】本実施形態におけるポータブル扇風機の収納時状態を示す説明図である。
【考案を実施するための形態】
【００１６】
本考案のポータブル扇風機の実施形態について図面に基づいて説明する。図１に示すように、本実施形態におけるポータブル扇風機１００は、送風を行う本体部１０と、本体部１０を保持する保持脚２０と、保持脚２０に取り付けられ、連結脚３０および回動脚４０を連結する脚連結部材５０とを具備している。
【００１７】
本体部１０は、正面側および背面側の開口面に同心円状の格子体１１が取り付けられた円筒状をなしている。本体部１０の側面には、本体部１０の直径上の位置に位置合わせされた回転軸１２がそれぞれ突設されている。回転軸１２の先端部において細径に形成されたねじ部（図示はせず）が保持脚２０の上端側を所要長さ範囲で平坦化した扁平部２２に穿設された取付孔（図示はせず）に挿通され、本体部１０と保持脚２０とは回動可能に連結（軸着）されている。
【００１８】
回転軸１２の先端部に形成されたねじ部には角度調整ツマミ２４が螺合しており、角度調整ツマミ２４を操作することで、本体部１０に対する保持脚２０の回動角度の調整および固定が可能である。角度調整ツマミ２４は保持脚２０の扁平部２２の位置に配設されているので、本体部１０に対する保持脚２０の保持角度を決めた後は、角度調整ツマミ２４をしっかりと締め付けることができ、保持脚２０による本体部１０の保持角度が強固に維持できる。また、本体部１０の上面には把持部１４が取り付けられており、本体部１０の内部にはファン１５が回転可能に収容されている。
【００１９】
また、図２に示すように、本体部１０の背面には制御部９０が配設されている。この制御部９０の内部には電源装置６０および電動機７０が収容されていると共に、制御部９０上面には操作ツマミ８０が配設されている。電源装置６０は、バッテリと商用電源からの交流電流を直流電流に変換して電動機７０に供給するコンバータ（いずれも図示はせず）を有しており、電動機７０が交流・直流いずれにおいても使用可能になっている。商用電源からの電力は、制御部９０の背面に配設されたプラグ差込部６２を介して電源装置６０に供給される。電動機７０が停止している間に電源装置６０に供給された電力は、バッテリに充電可能になっている。バッテリの残量は、制御部９０の上面において操作ツマミ８０の隣に直列配設された複数個のＬＥＤランプ６４の点灯数により表示される。使用者が操作ツマミ８０を操作することで、電動機７０の回転数が制御可能になっている。電動機７０は、本体部１０のファン１５を回転駆動させている。
【００２０】
図１〜図３に示すように、保持脚２０の基部２６にはそれぞれ脚連結部材５０が取り付けられている。脚連結部材５０は、保持脚差込部５２に保持脚２０の基部２６を差し込み、保持脚２０の径外方向からねじ留めすることにより保持脚２０と脚連結部材５０とが固定されている。脚連結部材５０の底部内側面には、下面が開口する円弧状の嵌合凹部に形成された連結脚取付部５４が配設されている。連結脚取付部５４には、２本の保持脚２０の離間方向に掛け渡す配置で連結脚３０が取り付けられている。連結脚３０は、連結脚取付部５４に両端部をそれぞれ嵌合させた後、連結脚３０の径外方向からねじ留めすることによって脚連結部材５０に固定されている。
【００２１】
また、脚連結部材５０には、回動脚４０をポータブル扇風機１００の使用時位置および収納時位置でそれぞれ位置決め固定することが可能な位置決め固定部５６が設けられている。位置決め固定部５６のうち、脚連結部材５０の底面側に配設されたものが使用時用位置決め固定部５６Ａであり、脚連結部材５０の正面側に配設されたものが収納時用位置決め固定部５６Ｂである。使用時用位置決め固定部５６Ａと収納時用位置決め固定部５６Ｂとは、脚連結部材５０の底部正面側において連通している。また、本実施形態における収納時用位置決め固定部５６Ｂの中心線は、保持脚差込部５２の中心線と平行に形成されている。
【００２２】
本実施形態における使用時用位置決め固定部５６Ａおよび収納時用位置決め固定部５６Ｂは、いずれも回動脚４０が嵌合可能な円弧状嵌合凹部に形成されている。これらの円弧状嵌合凹部は、回動脚４０の外径寸法よりもわずかに小径寸法の円弧によって形成されている。回動脚４０は、使用時用位置決め固定部５６Ａと収納時用位置決め固定部５６Ｂとの連通部分において、収納時用位置決め固定部５６Ｂの円弧状嵌合凹部の径方向に掛け渡された脚回転軸４２により軸着されている。図３、図４および図５に示すように、使用者が回動脚４０を使用時用位置決め固定部５６Ａまたは収納時用位置決め固定部５６Ｂのいずれかの円弧状嵌合凹部に押し込むことで、円弧状嵌合凹部が弾性変形して回動脚４０を円弧状嵌合凹部に嵌合させることができる。円弧状嵌合凹部に嵌合させた回動脚４０は、使用者が意図的に回動脚４０を回動させない限りは嵌合状態（使用時状態または収納時状態）が維持される。
【００２３】
特に、図５に示されているように、収納時用位置決め固定部５６Ｂに回動脚４０を嵌合させた状態にすると、回動脚４０が保持脚２０と平行な状態になる。これにより、収納時において嵩張りがちな脚部を可及的にコンパクトな状態に維持させることができる点において好都合である。保持脚２０に対して回動脚４０を平行にした状態で、保持脚２０を本体部１０の送風面に平行な状態（本体部１０の径方向に平行な状態）に回動させれば、図６に示すようにポータブル扇風機１００をきわめてコンパクトな状態にすることができる。このような状態は、角度調整ツマミ２４を締め付けることで維持可能であり、ポータブル扇風機１００の収納スペースを大幅に削減することができる。
【００２４】
このように本実施形態におけるポータブル扇風機１００は、使用時においては、回動脚４０を使用時用位置決め固定部５６Ａに嵌合させることで、連結脚３０と回動脚４０とにより設置面と平面視コの字型の接地部が形成される。これにより設置面が平坦面でなくてもポータブル扇風機１００を安定した状態で使用することができる。また、収納時においては、回動脚４０を収納時用位置決め固定部５６Ｂに嵌合させると共に、保持脚２０を本体部１０の正面または背面に平行な状態にすることで、保持脚２０，連結脚３０および回動脚４０を本体部１０の厚さ範囲内にまとめることができる。これによりポータブル扇風機１００の収納時占有スペースを大幅にコンパクトにすることができ、使い勝手に優れたポータブル扇風機１００の提供が可能になる。
【００２５】
以上に本考案にかかるポータブル扇風機１００の実施形態について説明をしたが、本考案は本実施形態に限定されるものではなく、考案の技術的範囲内において適宜形態を変更することもできる。例えば、本実施形態においては、位置決め固定部５６は円弧状嵌合凹部に形成された形態について説明しているが、位置決め固定部５６の形態はこの形態に限定されるものではない。回動脚４０と位置決め固定部５６の両方に対となる係合片または係合片と係合孔（いずれも図示はせず）を配設して位置決め固定部５６に回動脚４０を一時的に固定する形態等を採用することもできる。
【００２６】
また、本実施形態においては、保持脚２０と連結脚３０とがそれぞれ別部材である形態について説明しているが、保持脚２０と連結脚３０とを一体にした略Ｕ字型脚にした形態を採用することもできる。
【００２７】
そして、以上の実施形態における各種の変形例を適宜組み合わせた形態を採用することもできる。
【００２８】
１０  本体部
１１  格子体，１２  回転軸，１４  把持部，１５  ファン
２０  保持脚
２２  扁平部，２４  角度調整ツマミ，２６  基部
３０  連結脚
４０  回動脚
４２  脚回転軸
５０  脚連結部材
５２  保持脚差込部，５４  連結脚取付部，５６  位置決め固定部，
５６Ａ  使用時用位置決め固定部，５６Ｂ  収納時用位置決め固定部
６０  電源装置
６２  プラグ差込口，６４  ＬＥＤランプ
７０  電動機
８０  操作ツマミ
９０  制御部
１００  ポータブル扇風機
【図１】
0003234200.tif 000003
【図２】
0003234200.tif 000004
【図３】
0003234200.tif 000005
【図４】
0003234200.tif 000006
【図５】
0003234200.tif 000007
【図６】
0003234200.tif 000008